(57)【要約】  【課題】熱交換器からの吸入空気をスムーズに遠心ファンに取り込み、送風効率を良くし、且つ風速分布を向上させ、熱交換効率を高めた空気調和機を提供する。  【解決手段】渦巻ケーシング９の反吹出孔側９ｃの角部９ｄを切欠するもので、切欠部９ｅの切欠幅を、遠心ファン７の径に対して１０％±３％の幅に切欠し、前記角部９ｄ周縁に設ける切欠範囲を、吸込孔９ａの中心から前記渦巻ケーシング９の反吹出孔側９ｃへ向かって９０度の角度の範囲に形成することにより、必要な風量増加が得られる前記渦巻ケーシング９となる。また、前記切欠部９ｅを曲面状に、且つ、前記渦巻ケーシング９の反吹出孔側９ｃの両側の角部９ｄに前記切欠部９ｅを形成している。【選択図】図１
2004347311.tif 000002
【特許請求の範囲】
【請求項１】
吸込口と、吹出口を備えた本体ケーシング内に、熱交換器と、モータ取付台に固定されたファンモータと、同ファンモータにより駆動される遠心ファンと、同遠心ファンを収容する吹出孔と両側に吸込孔を備え、同吹出孔を前記吹出口と連通させる渦巻ケーシングとを配置してなる空気調和機において、
前記渦巻ケーシングの反吹出孔側の角部を、切欠してなることを特徴とする空気調和機。
【請求項２】
前記切欠部の切欠幅を、前記遠心ファンの径に対して１０％±３％の幅に形成してなることを特徴とする請求項１記載の空気調和機。
【請求項３】
前記切欠部の切欠範囲を、前記吸込孔の中心から前記渦巻ケーシングの反吹出孔側に向かって９０度の角度の範囲に形成してなることを特徴とする請求項１または２記載の空気調和機。
【請求項４】
前記切欠部を、曲面状に形成してなることを特徴とする請求項１乃至請求項３記載の空気調和機。
【請求項５】
前記切欠部を、前記渦巻ケーシングの反吹出孔側の両側角部に形成してなることを特徴とする請求項１乃至請求項４記載の空気調和機。
【発明の詳細な説明】
【技術分野】
【０００１】
本発明は、空気調和機に係り、とくに、遠心ファンを収容する渦巻ケーシングの形状に関する。
【背景技術】
【０００２】
従来、空気調和機、特に、ダクトエアコンは、図６および図７で示すように、ダクトの途中に配設される本体ケーシング１の背面１ａの吸込口２と、前面１ｂの吹出口３とを結ぶ空気通路４に、熱交換器５と、同熱交換器５よりの凝縮水を一旦溜めるドレンパン１０と、ファンモータ６と、同ファンモータ６により駆動される遠心ファン７とを配置している。
そして、前記吹出口３側の中央の前記ドレンパン１０内に載置部とその両端より下方に延出する脚部とにより構成され下向きコ字状のモータ取付台８が立設され、同モータ取付台８に前記ファンモータ６が固定配置されている。
【０００３】
しかしながら、近年、小型化の要求から、前記熱交換器５と遠心ファン７とが近接する傾向にあり（例えば、特許文献１参照）、前記遠心ファン７の面積により前記熱交換器５からの吸入空気を塞ぐような形になり、送風効率を落とし、且つ風速分布も悪く、熱交換効率も悪化する恐れのある問題を有していた。
【０００４】
【特許文献１】特開２００２−２２１９９号公報（第２ー３頁、第１図）
【発明の開示】
【発明が解決しようとする課題】
【０００５】
本発明においては、上記の問題点に鑑み、熱交換器からの吸入空気をスムーズに遠心ファンに取り込み、送風効率を良くし、且つ風速分布を向上させ、熱交換効率を高めた空気調和機を提供することを目的としている。
【課題を解決するための手段】
【０００６】
本発明は、上記問題点を解決するため、吸込口と、吹出口を備えた本体ケーシング内に、熱交換器と、モータ取付台に固定されたファンモータと、同ファンモータにより駆動される遠心ファンと、同遠心ファンを収容する吹出孔と両側に吸込孔を備え、同吹出孔を前記吹出口と連通させる渦巻ケーシングとを配置してなる空気調和機において、
前記渦巻ケーシングの反吹出孔側の角部を、切欠した構成となっている。
【０００７】
前記切欠部の切欠幅を、前記遠心ファンの径に対して１０％±３％の幅に形成した構成となっている。
【０００８】
前記切欠部の切欠範囲を、前記吸込孔の中心から前記渦巻ケーシングの反吹出孔側に向かって９０度の角度の範囲に形成した構成となっている。
【０００９】
前記切欠部を、曲面状に形成した構成となっている。
【００１０】
前記切欠部を、前記渦巻ケーシングの反吹出孔側の両側角部に形成した構成となっている。
【発明の効果】
【００１１】
以上説明したように、本発明による空気調和機によれば、熱交換器からの吸入空気をスムーズに遠心ファンに取り込み、送風効率を良くし、且つ風速分布を向上させ、熱交換効率を高めた空気調和機となる。
【発明を実施するための最良の形態】
【００１２】
以下、図面に基づいて本発明による空気調和機を詳細に説明する。
図１は本発明による空気調和機の一実施例を示す一部透視要部斜視図（Ａ）および概略上面図（Ｂ）であり、図２は本発明による空気調和機の一実施例を示す渦巻ケーシングの要部斜視図（Ａ）および要部側断面図（Ｂ）であり、図３は本発明による一実施例の切欠率による風量を示す特性図であり、図４は本発明による一実施例の切り欠き角度による風量を示す特性図であり、図５は本発明の空気調和機と従来の空気調和機との静圧ー風量の実験結果を表した比較特性図である。
なお、従来と同じ部分の符号は同一とする。
【実施例１】
【００１３】
図に示すように、本体ケーシング１の背面１ａに吸込口２、前面１ｂに複数の吹出口３が設けられ、同本体ケーシング１内の下部にはドレンパン１０が配設されている。
この吸込口２と複数の吹出口３とを結ぶ空気通路４の、吸込口２側のドレンパン１０上に同吸込口２と対向して熱交換器５が配置されている。
【００１４】
また、前記吹出口３側の中央の前記ドレンパン１０内に載置部とその両端より下方に延出する脚部とにより構成され下向きコ字状のモータ取付台８が立設され、同モータ取付台８にファンモータ６が固定配置されている。
このファンモータ６の軸方向の両側には、同ファンモータ６より駆動される２個の遠心ファン７が配置され、同遠心ファン７は渦巻ケーシング９内に収容されている。
【００１５】
前記渦巻ケーシング９は、その吸込孔９ａが前記ファンモータ６の回転軸の方向に設けられ、吹出孔９ｂを前記本体ケーシング１前面の吹出口３と連通させている。
【００１６】
本発明は図２で示すように、前記渦巻ケーシング９の反吹出孔側９ｃの角部９ｄを切欠するもので、同切欠部９ｅの切欠幅Ｌを実験した結果、図３の切欠率による風量を示す特性図で風量増加が見られるのは、前記遠心ファン７の径に対して前記切欠部９ｅの切欠幅Ｌを１０％にした時が最大値を示しているので、その前後の±３％の範囲の１０±３％に前記切欠部９ｅの切欠幅Ｌを形成することにより、必要な風量増加が得られる前記渦巻ケーシング９となる。
【００１７】
また、前記切欠部９ｅの切欠幅Ｌを、前記渦巻ケーシング９の角部９ｄ周縁に形成する切欠範囲Ｋを実験した結果、図４の切り欠き角度による風量を示す特性図で風量増加が見られるのは、前記吸込孔９ａの中心から前記渦巻ケーシング９の反吹出孔側９ｃへ水平に結ぶ直線の両側に各４５度の角度、即ち９０度の角度が最大値を示しているので、前記角部９ｄ周縁に設ける前記切欠部９ｅの切欠範囲Ｋを、前記吸込孔９ａの中心から前記渦巻ケーシング９の反吹出孔側９ｃへ向かって９０度の角度の範囲に形成する。
【００１８】
さらに、前記切欠部９ｅを曲面状に形成し、流れる風の抵抗を少なくして、スムーズな風の流れにし、且つ、前記渦巻ケーシング９の反吹出孔側９ｃの両側の角部９ｄに前記切欠部９ｅを形成し風量を増大させている。
【００１９】
前記切欠部９ｅの切欠幅Ｌを、前記遠心ファン７の径に対して１０％±３％の幅に切欠し、前記角部９ｄ周縁に設ける切欠範囲Ｋを、前記吸込孔９ａの中心から前記渦巻ケーシング９の反吹出孔側９ｃへ向かって９０度の角度の範囲に形成することにより、図５の静圧ー風量の実験結果を表したグラフで示すように、前記渦巻ケーシング９の反吹出孔側９ｃの角部９ｄを切欠することによる内部的な損失以上に、外部的に圧損を低減させることで、風量を増大させることができる。
【００２０】
以上の構成において、近年、小型化の要求から、前記熱交換器５と前記遠心ファン７とが近接しても、前記渦巻ケーシング９の反吹出孔側９ｃの角部９ｄを切欠することにより、前記遠心ファン７の面積により前記熱交換器５からの吸入空気を塞ぐことを防いで、前記熱交換器５からの吸入空気をスムーズに前記遠心ファン７に取り込み、送風効率を落とし、且つ風速分布も悪く、熱交換効率も悪化する恐れのある問題をなくすことができる。
【図面の簡単な説明】
【００２１】
【図１】本発明による空気調和機の一実施例を示す一部透視要部斜視図（Ａ）および概略上面図（Ｂ）である。
【図２】本発明による空気調和機の一実施例を示す渦巻ケーシングの要部斜視図（Ａ）および要部側断面図（Ｂ）である。
【図３】本発明による一実施例の切欠率による風量を示す特性図である。
【図４】本発明による一実施例の切り欠き角度による風量を示す特性図である。
【図５】本発明の空気調和機と従来の空気調和機との静圧ー風量の実験結果を表した比較特性図である。
【図６】従来の空気調和機を示す一部透視要部斜視図（Ａ）および概略上面図（Ｂ）である。
【図７】従来の空気調和機を示す渦巻ケーシングの要部側断面図である。
【符号の説明】
【００２２】
１  本体ケーシング
１ａ  背面
１ｂ  前面                                                                      ２  吸込口
３  吹出口
４  空気通路
５  熱交換器
６  ファンモータ
７  遠心ファン
８  モータ取付台
９  渦巻ケーシング
９ａ  吸込孔
９ｂ  吹出孔
９ｃ  反吹出孔側
９ｄ  角部
９ｅ  切欠部
１０  ドレンパン
【図１】
2004347311.tif 000003
【図２】
2004347311.tif 000004
【図３】
2004347311.tif 000005
【図４】
2004347311.tif 000006
【図５】
2004347311.tif 000007
【図６】
2004347311.tif 000008
【図７】
2004347311.tif 000009